(57)【特許請求の範囲】
【請求項１】
光源が取り付けられた器具本体と、前記器具本体の下面側を覆うセードとを有する照明器具であって、
前記セードと前記器具本体との外周縁の接触部において、前記セード又は前記器具本体の外周縁に沿って形成された外周溝と、
前記外周溝内に収納されたパッキンと、
前記パッキンが前記外周溝から取り外れるのを防止するリブを備え、
前記リブは、前記外周溝の一方の側壁に設けられた複数の第１のリブと前記外周溝の他方の側壁に設けられた複数の第２のリブとを含み、
前記第１のリブと前記第２のリブとは互いに対向しないように千鳥状に設けられている
照明器具。
【請求項２】
光源が取り付けられた器具本体と、前記器具本体の下面側を覆うセードとを有する照明器具であって、
前記器具本体は、中央部にアダプタを収納するための開口部が設けられたドーナツ状をしており、
前記アダプタを覆うアダプタカバーの上端と前記器具本体の内周縁との接触部において、
前記アダプタカバーの上端又は前記器具本体の内周縁に沿って形成された上端側溝と、
前記上端側溝内に収納されたパッキンと、
前記パッキンが前記上端側溝から取り外れるのを防止するリブを備え、
前記リブは、前記上端側溝の一方の側壁に設けられた複数の第１のリブと前記上端側溝の他方の側壁に設けられた複数の第２のリブとを含み、
前記第１のリブと前記第２のリブとは互いに対向しないように千鳥状に設けられている
照明器具。
【請求項３】
光源が取り付けられた器具本体と、前記器具本体の下面側を覆うセードとを有する照明器具であって、
前記セードは、中央部にアダプタを収納するための開口部が設けられており、
前記セードの内周縁と前記アダプタを覆うアダプタカバーの下端の接触部において、
前記セードの内周縁又は前記アダプタカバーの下端に沿って形成された下端側溝と、
前記下端側溝内に収納されたパッキンと、
前記パッキンが前記下端側溝から取り外れるのを防止するリブを備え、
前記リブは、前記下端側溝の一方の側壁に設けられた複数の第１のリブと前記下端側溝の他方の側壁に設けられた複数の第２のリブとを含み、
前記第１のリブと前記第２のリブとは互いに対向しないように千鳥状に設けられている
照明器具。
【発明の詳細な説明】
【技術分野】
【０００１】
本発明は、虫や埃、粉塵等が装置内に入るのを防止するためパッキンが装着されている照明器具に関する。
【背景技術】
【０００２】
従来よりシーリングライト等の照明器具では、器具本体内に虫が侵入しないように様々な手段がとられている。例えば、下記特許文献１には、図５に示すように、ランプソケットを保持する器具本体と、外周を囲うように器具本体に着脱自在に取り付けられる取付枠と、透光性を有し取付枠に固定されてランプソケットに装着されたランプを覆うカバーと、器具本体と取付枠の隙間を塞ぐ弾性の防虫パッキンとを備えた照明器具が開示されている。
【０００３】
特許文献１の照明器具は、略方形の器具本体に、この器具本体の下面開口部を覆うカバーを取付枠で取り付けている。そして、取付枠上部の縁部には、弾性変形自在な防虫パッキンが取り付けられている。
【０００４】
この照明器具によれば、取付枠上部の縁部に取り付けられた防虫パッキンによって器具本体と取付枠との隙間が塞がれるので、かかる隙間から器具本体、取付枠、カバーで囲まれた内部空間に虫が進入するのを防止することができる。
【先行技術文献】
【特許文献】
【０００５】
【特許文献１】実開昭６０−１５６６１０号公報
【発明の開示】
【発明が解決しようとする課題】
【０００６】
しかしながら、照明器具の製造工程においてパッキンを装着した後に照明器具を逆さにして作業を行う場合があり、このような場合にパッキンが取り外れてしまうことがあった。このため、パッキンが取り外れないよう注意して作業を行ったり、若しくは、パッキンは最後に装着したりするなどしなければならなかった。
【０００７】
本発明は上記課題を解決するものであって、パッキンを装着した後に照明器具を逆さにして作業をする場合であっても、パッキンが取り外れることはない照明器具を提供することにある。
【課題を解決するための手段】
【０００８】
本発明の照明器具は、光源が取り付けられた器具本体と、器具本体の下面側を覆うセードとを有する照明器具であって、セードと器具本体との外周縁の接触部において、セード又は器具本体の外周縁に沿って形成された外周溝と、外周溝内に収納されたパッキンと、パッキンが外周溝から取り外れるのを防止するリブを備えている。
このリブは、外周溝の一方の側壁に設けられた複数の第１のリブと外周溝の他方の側壁に設けられた複数の第２のリブとを含み、第１のリブと第２のリブとは互いに対向しないように千鳥状に設けられている。

【００１０】
これによれば、セードと器具本体との接触部にパッキンが設けられているため、セードと器具本体との間隙から虫が侵入するのを防止することができる。また、リブが設けられているため、パッキンを装着した後に照明器具を逆さにして作業をする場合であっても、パッキンが取り外れることはない。
【００１１】
さらに、光源が取り付けられた器具本体と、器具本体の下面側を覆うセードとを有する照明器具であって、セードは、中央部にアダプタを収納するための開口部が設けられており、セードの内周縁とアダプタを覆うアダプタカバーの下端の接触部において、セードの内周縁又はアダプタカバーの下端に沿って形成された下端側溝と、下端側溝内に収納されたパッキンと、パッキンが下端側溝から取り外れるのを防止するリブを備えている。
このリブは、下端側溝の一方の側壁に設けられた複数の第１のリブと下端側溝の他方の側壁に設けられた複数の第２のリブとを含み、第１のリブと第２のリブとは互いに対向しないように千鳥状に設けられている。
【００１２】
これによれば、アダプタカバーと前記器具本体との接触部にパッキンが設けられているため、アダプタカバーと器具本体との間隙から虫が侵入するのを防止することができる。また、リブが設けられているため、パッキンを装着した後に照明器具を逆さにして作業をする場合であっても、パッキンが取り外れることはない。
【００１３】
さらに、光源が取り付けられた器具本体と、器具本体の下面側を覆うセードとを有する照明器具であって、セードは、中央部にアダプタを収納するための開口部が設けられており、セードの内周縁とアダプタカバーの下端の接触部において、セードの内周縁又はアダプタカバーの下端に沿って形成された下端側溝と、下端側溝内に収納されたパッキンと、パッキンが下端側溝から取り外れるのを防止するリブを備えている。
このリブは、下端側溝の一方の側壁に設けられた複数の第１のリブと下端側溝の他方の側壁に設けられた複数の第２のリブとを含み、第１のリブと第２のリブとは互いに対向しないように千鳥状に設けられている。
【００１４】
これによれば、前記セードと前記アダプタカバーの接触部に、パッキンが設けられているため、アダプタカバーと器具本体との間隙から虫が侵入するのを防止することができる。また、リブが設けられているため、パッキンを装着した後に照明器具を逆さにして作業をする場合であっても、パッキンが取り外れることはない。
【発明の効果】
【００１５】
本発明によれば、パッキンが設けられているため、内部に虫が侵入するのを防止することができる。また、リブが設けられているため、パッキンを装着した後に照明器具を逆さにして作業をする場合であっても、パッキンが取り外れることはない。
【図面の簡単な説明】
【００１６】
【図１】本実施形態の照明器具の概略構成を示す断面図。
【図２】本実施形態の外周溝を説明するための図。
【図３】本実施形態の内周溝を説明するための図。
【図４】外周溝、上端側溝、下端側溝に形成されたリブを説明するための図。
【図５】従来の照明器具の概略構成を示す断面図。
【発明を実施するための形態】
【００１７】
以下に本発明の好適な実施の形態について、図面を参照しながら説明する。図１は、本実施形態の照明器具１００の概略構成を示す図である。図２は、本実施形態の照明器具に形成された外周溝を説明するための図であって、図１の要部Ａを拡大したものである。図３は、本実施形態の照明器具に形成された内周溝を説明するための図である。図４は、外周溝及び内周溝に形成されたリブを説明するための図であって、図４Ａはパッキンが装着されていない状態の溝の平面図、図４Ｂは図４Ａの矢印方向から見た断面図である。
【００１８】
本実施の形態はシーリングライトを例に説明するが、これに限定されるものではない。器具本体１０１をセード１０３で覆い虫進入防止目的でパッキン２０１を装着させる照明器具１００であれば種々のものに適用することができる。
【００１９】
照明器具１００は、光源としてのＬＥＤランプが設けられた器具本体１０１と、ＬＥＤランプを覆い器具本体１０１に取付けられた透光性のセード１０３と、天井面に設置された引掛けシーリングボディ（図示しない）に取付けられるアダプタ１０２とを備えている。
【００２０】
器具本体１０１は、中央部にアダプタ１０２を収納するための開口部が設けられたドーナツ状をしている。ただし、器具本体１０１の形状はドーナツ状に限定されず、四角形等の多角形状であっても良い。
【００２１】
セード１０３は、器具本体１０１の下面側を覆うように器具本体１０１に着脱可能に取付けられている。材質については、透光性の樹脂製であり、拡散性を有するように乳白に形成されている。
【００２２】
アダプタ１０２は、略円筒状になっており、天井面に設置された引掛けシーリングボディ（図示しない）に、上面側に設けられた引掛具によって取り付けられる。アダプタ１０２の側面は略円筒状のアダプタカバー１０２Ａで覆われており、下面はセンターキャップ１０７で保護されている。
【００２３】
次にセード１０３及びアダプタカバー１０２Ａに形成された外周溝及び内周溝について図２から図４を参照しながら説明する。
【００２４】
まず、セード１０３に沿って形成された外周溝１０４について説明する。図２に示すように、外周溝１０４は、セード１０３と器具本体１０１との外周縁の接触部において、セード１０３の外周縁に形成されている。外周溝１０４の断面形状は、セード１０３を取り付けた状態において上方に開口したコの字状になっている（図４参照）。
【００２５】
外周溝１０４の両側壁には、外周溝１０４の深さと同じ長さのリブ４０１が形成されている。リブ４０１は断面四角形状になっており、両側壁に互い違いに千鳥状に設けられている。外周溝１０４の全周にわたって形成する必要はなく、外周縁の数箇所に設けても良い。本実施例では、図４Ａに示すように、３つのリブからなるリブ群を外周縁の８箇所に形成している
【００２６】
外周溝１０４内には環状のパッキン２０１が収納されている。パッキン２０１は弾性を有していれば種々の材質を用いることが可能で、例えばシリコンゴムやスポンジ状のウレタン等を用いることができる。パッキン２０１はリブ４０１に圧接されているために、作業中に外周溝１０４の開口部が下方に向いた場合であっても外周溝１０４から脱落しないようになっている。なお、本実施形態の外周溝１０４はセードの外周縁に形成されているが、セード１０３と器具本体１０１との外周縁の接触部において、器具本体側に設けても良い。
【００２７】
次に、アダプタカバー１０２Ａの上端および下端に沿って形成された内周溝１０５、１０６について説明する。図３Ａに示すように、アダプタカバー１０２Ａの上端には器具本体１０１の下面に取り付けるための上端縁が形成されている。上端縁は、アダプタカバー１０３Ｂの上端から中心方向に水平に突出した突出片１０５Ａにより構成されている。この突出片１０５が器具本体１０１にねじ１０５Ｂによって固着されることで、器具本体１０１とアダプタカバー１０２Ａは一体となっている。突出片１０５Ａには上方に開口したコの字状の上端側内周溝１０５が形成されている。上端側内周溝１０５の形状は、上述の外周溝１０４と同様である。なお、本実施形態の上端側内周溝１０５はアダプタカバー１０２Ａに形成されているが、器具本体１０１との内周縁に設けても良い。
【００２８】
また、図３Ｂに示すように、アダプタカバー１０２Ａの下端にはセード１０３に取り付けるための下端縁１０６Ａが形成されている。下端縁１０６Ａは、アダプタカバー１０２Ａの下端から外周方向へ水平に突出している。このアダプタカバー１０２Ａの下端縁１０６Ａがセード１０３の内周縁１０６Ｂとねじ１０６Ｃによって固定されることにより、アダプタカバー１０２Ａとセード１０３は一体となっている。
【００２９】
下端縁１０６Ａには下方に開口したコの字状の下端側内周溝１０６が形成されている。下端側内周溝１０６の形状は、上述の外周溝１０４と同様である。なお、本実施形態の下端側内周溝１０６はアダプタカバー１０２Ａに形成されているが、セードの内周縁１０６Ｂに設けても良い。
【００３０】
以上、本実施形態の照明器具１００は、セード１０３と器具本体１０１、及び器具本体とアダプタカバー１０２Ａ、及びアダプタカバー１０２Ａとセード１０３との接触部にそれぞれ外周溝１０４、上端側内周溝１０５、下端側内周溝１０６が形成され、溝１０４、１０５、１０６内にパッキン２０１が収納されている。このため、セード内に虫が侵入するのを防止することができる。
【００３１】
また、外周溝１０４及び内周溝１０５、１０６にはリブ４０１を形成しているため、パッキン２０１を装着した後に照明器具１００を逆さにして作業をする場合であっても、パッキン２０１が取り外れることはない。
【符号の説明】
【００３２】
１００    照明器具
１０１    器具本体
１０２    アダプタ
１０３    セード
１０４    外周溝
１０５    上端側内周溝
１０６    下端側内周溝
２０１    パッキン
４０１    リブ
【図１】
0005939823.tif 000002
【図２】
0005939823.tif 000003
【図３】
0005939823.tif 000004
【図４】
0005939823.tif 000005
【図５】
0005939823.tif 000006